(57)【要約】      （修正有）【課題】全体の部品点数を削除でき、ボビン表面に平滑面を形成する。【解決手段】熱転写シートまたは受像シート用ボビンは、円筒状ボビン本体１１を備え、ボビン本体１１の一側端に複数の歯１３を含むギア１２が形成されている。ギア１２の各歯１３は側方からみて全体として５以上の角１５ａ、１５ｂ、１５ｃ、１５ｄ、１５ｅをもつ多角形状を有する。【選択図】図４
2017088386.tif 000002
【特許請求の範囲】
【請求項１】
熱転写シートまたは受像シート用ボビンにおいて、
円筒状のボビン本体を備え、
前記ボビン本体の一側端に複数の歯を含むギアが形成され、
各歯は前記ボビン本体を側方からみたとき、全体として５以上の角をもつ多角形状を有することを特徴とする熱転写シートまたは受像シート用ボビン。
【請求項２】
各歯の多角形状のうち一辺は、前記ボビン本体の軸線と平行に延びることを特徴とする請求項１記載の熱転写シートまたは受像シート用ボビン。
【請求項３】
各歯の多角形状のうち一辺に、溝部が形成されていることを特徴とする請求項１または２記載の熱転写シートまたは受像シート用ボビン。
【請求項４】
各歯の多角形状の各辺は湾曲していることを特徴とする請求項１乃至３のいずれか記載の熱転写シートまたは受像シート用ボビン。
【請求項５】
各歯の多角形状の各角は面取りされていることを特徴とする請求項１乃至４のいずれか記載の熱転写シートまたは受像シート用ボビン。
【請求項６】
前記ボビン本体の他側端面に、フランジ部を装着する際の位置決め機能を果たす嵌合溝を設けたことを特徴とする請求項１乃至５のいずれか記載の熱転写シートまたは受像シート用ボビン。
【請求項７】
請求項１記載の熱転写シートまたは受像シート用ボビンと、
このボビンに巻付けられた熱転写シートまたは受像シートを備えたことを特徴とするボビンとシートの組合体。
【請求項８】
前記ボビンと、熱転写シートまたは受像シートを収納する収納ケースを更に備えたことを特徴とする請求項７記載のボビンとシートの組合体。
【請求項９】
請求項７記載のボビンとシートの組合体が組込まれた熱転写プリンタにおいて、
前記ボビンとシートの組合体が装着される装着部と、
前記ボビン本体と同一軸線上に延びる駆動軸または制動軸を有し、前記駆動軸または制動軸の端面に前記ボビン本体のギアに嵌合する駆動ギアが設けられた駆動部または制動ギアが設けられた制動部と、を備えたことを特徴とする熱転写プリンタ。
【請求項１０】
円筒状のボビン本体を備え、前記ボビン本体の一側端に複数の歯を含むギアが形成された熱転写シートまたは受像シート用ボビンと、このボビンに巻付けられた熱転写シートまたは受像シートとを備えたボビンとシートの組合体が組み込まれた熱転写プリンタにおいて、
前記ボビンとシートの組合体が装着される装着部と、
前記ボビン本体と同一軸線上に延びる駆動軸を有し、前記駆動軸の端面に前記ボビン本体のギアに嵌合する駆動ギアが設けられた駆動部、または前記ボビン本体と同一軸線上に延びる制動軸を有し、前記制動軸の端面に前記ボビン本体のギアに嵌合する制動ギアが設けられた制動部と、を備え、
各歯または各歯に対応する駆動ギアまたは制動ギアは、前記ボビン本体を側方からみたとき、全体として５以上の角をもつ多角形状を有することを特徴とする熱転写プリンタ。
【請求項１１】
各歯および各歯に対応する駆動ギアまたは制動ギアは、前記ボビン本体を側方からみたとき、全体として多角形状を有し、各歯の角数は駆動ギアまたは制動ギアの角数より、大きいことを特徴とする請求項１０記載の熱転写プリンタ。
【発明の詳細な説明】
【技術分野】
【０００１】
本発明は、熱転写シートまたは受像シート用ボビン、ボビンとシートの組合体および熱転写プリンタに関する。
【背景技術】
【０００２】
インクリボン（熱転写シート）を用いて、受像シートなどの被転写体に文字や画像等を印字する熱転写プリンタが、広く普及している。インクリボンは、帯状に延びるリボン（支持層）と、リボン上に形成され、染料等を含んだインク層と、を有している。このようなインクリボンは、ボビンに取付けられて巻付けられている。
【０００３】
ところでインクリボンが巻付けられたボビンは、一般にボビン本体と、ボビン本体に、ボビン本体と別体に取付けられた駆動用フランジとを有する。しかしながら、ボビン本体に駆動用フランジを別体として設ける場合、構造部品の点数が増加し、製造コストが増加し、かつ破棄する際も煩雑である。
【０００４】
一方、ボビン本体の外面に駆動用凹凸を形成することが考えられているが、ボビンにリボンを巻付ける際、リボンを押圧するゴム製のタッチロールがこの駆動用凹凸と当接して傷が付くことがある。
【先行技術文献】
【特許文献】
【０００５】
【特許文献１】特開２００１−１２２５２３号公報
【特許文献２】特開２００１−１５０７７５号公報
【発明の概要】
【発明が解決しようとする課題】
【０００６】
本発明は、このような点を考慮してなされたものであり、構成部品の点数を削減することができ、かつタッチローラに傷を付けることがない熱転写シートまたは受像シート用ボビン、ボビンとシートの組合体および熱転写プリンタを提供することを目的とする。
【課題を解決するための手段】
【０００７】
本発明は、熱転写シートまたは受像シート用ボビンにおいて、円筒状のボビン本体を備え、前記ボビン本体の一側端に複数の歯を含むギアが形成され、各歯は前記ボビン本体を側方からみたとき、全体として５以上の角をもつ多角形状を有することを特徴とする熱転写シートまたは受像シート用ボビンである。
【０００８】
本発明は、各歯の多角形状のうち一辺は、前記ボビン本体の軸線と平行に延びることを特徴とする熱転写シートまたは受像シート用ボビンである。
【０００９】
本発明は、各歯の多角形状のうち一辺に、凹部が形成されていることを特徴とする熱転写シートまたは受像シート用ボビンである。
【００１０】
本発明は、各歯の多角形状の各辺は湾曲していることを特徴とする熱転写シートまたは受像シート用ボビンである。
【００１１】
本発明は、各歯の多角形状の各角は面取りされていることを特徴とする熱転写シートまたは受像シート用ボビンである。
【００１２】
本発明は、前記ボビン本体の他側端面に、フランジ部を装着する際の位置決め機能を果たす嵌合溝を設けたことを特徴とする熱転写シートまたは受像シート用ボビンである。
【００１３】
本発明は、上記記載の熱転写シートまたは受像シート用ボビンと、このボビンに巻付けられた熱転写シートまたは受像シートを備えたことを特徴とするボビンとシートの組合体である。
【００１４】
本発明は、前記ボビンと、熱転写シートまたは受像シートを収納する収納ケースを更に備えたことを特徴とするボビンとシートの組合体である。
【００１５】
本発明は、上記記載のボビンとシートの組合体が組込まれた熱転写プリンタにおいて、前記ボビンとシートの組合体が装着される装着部と、前記ボビン本体と同一軸線上に延びる駆動軸または制動軸を有し、前記駆動軸または制動軸の端面に前記ボビン本体のギアに嵌合する駆動ギアが設けられた駆動部または制動ギアが設けられた制動部と、を備えたことを特徴とする熱転写プリンタである。
【００１６】
本発明は、円筒状のボビン本体を備え、前記ボビン本体の一側端に複数の歯を含むギアが形成された熱転写シートまたは受像シート用ボビンと、このボビンに巻付けられた熱転写シートまたは受像シートとを備えたボビンとシートの組合体が組み込まれた熱転写プリンタにおいて、前記ボビンとシートの組合体が装着される装着部と、前記ボビン本体と同一軸線上に延びる駆動軸を有し、前記駆動軸の端面に前記ボビン本体のギアに嵌合する駆動ギアが設けられた駆動部または前記ボビン本体と同一軸線上に延びる制動軸を有し、前記制動軸の端面に前記ボビン本体のギアに嵌合する制動ギアが設けられた制動部と、を備え、各歯または各歯に対応する駆動ギアまたは制動ギアは、前記ボビン本体を側方からみたとき、全体として５以上の角をもつ多角形状を有することを特徴とする熱転写プリンタである。
【００１７】
本発明は、各歯および各歯に対応する駆動ギアまたは制動ギアは、前記ボビン本体を側方からみたとき、全体として多角形状を有し、各歯の角数は駆動ギアまたは制動ギアの角数より、大きいことを特徴とする熱転写プリンタである。
【発明の効果】
【００１８】
本発明によれば、構成部品の点数を削減することができ、ボビン本体外面を駆動用凹凸を持たない平滑面とすることができる。
【図面の簡単な説明】
【００１９】
【図１】図１は本発明による熱転写シート用または受像シート用ボビンを示す側面図。
【図２】図２はシートとボビンの組合体を示す平面図。
【図３】図３は熱転写プリンタ内に装着されたシートとボビンの組合体を示す平面図。
【図４】図４は（ａ）は供給用ボビンを示す側面図、図４（ｂ）はその拡大図。
【図５】図５は供給用ボビンを示す側断面図。
【図６】図６は供給用ボビンを示す斜視図。
【図７】図７はフランジ部を有する供給用ボビンを示す側面図。
【図８】図８はフランジ部を示す側面図。
【図９】図９は本発明の変形例を示すボビン本体の側面図。
【図１０】図１０は本発明の変形例を示すボビン本体の側面図。
【図１１】図１１は本発明の変形例を示す刃部分の拡大側面図。
【発明を実施するための形態】
【００２０】
＜発明の実施の形態＞
以下、図面を参照して本発明の実施の形態について説明する。  
図１乃至図８は本発明の実施の形態を示す図である。  
まず図２により本発明による熱転写シートまたは受像シート用ボビン１０が組込まれたリボンカートリッジ（ボビンとシートの組合体）１について説明する。
【００２１】
リボンカートリッジ１は、供給側ボビン１０と、巻取側ボビン２０と、これら供給側ボビン１０および巻取側ボビン２０を収納する収納ケース２とを備え、供給側ボビン１０と巻取側ボビン２０との間に支持層とインク層とを有するインクリボン（熱転写シート）３が設けられている。このインクリボン３は供給側ボビン１０と巻取側ボビン２０に各々取付けられている。
【００２２】
このような構成からなるリボンカートリッジ１のうち、巻取側ボビン２０は円筒状のボビン本体２１と、このボビン本体２１の一側端にボビン本体２１と一体に形成されたギアフランジ２２と、ボビン本体２１の他側端にボビン本体２１と一体に形成された支軸２５とを有している。ここで、「ボビン本体の２１の一側端」とは、ボビン本体２１の軸方向の一側端部全体をいい、「ボビン本体の２１の他側端」とは、ボビン本体２１の軸方向の他側端部全体をいう。
【００２３】
このうち、ギアフランジ２２は内周面に複数の歯２２ａを有し、内周面に形成された歯２２ａが熱転写プリンタ５０の駆動部４０と嵌合して、駆動部４０により巻取側ボビン２０が回転駆動するようになっている（図３参照）。図３に示すように、巻取側ボビン２０のボビン本体２１には、ギアフランジ２２近傍に円周突起２３が設けられ、ボビン本体２１のうちギアフランジ２２と円周突起２３との間の部分が収納ケース２に嵌合して、収納ケース２内で巻取側ボビン２０は軸線方向に沿って位置決めされる。
【００２４】
なお、熱転写プリンタ５０の駆動部４０は、駆動軸４１を有し、この駆動軸４１の端部にギアフランジ２２の歯２２ａに嵌合する駆動ギア４２が形成されている。
【００２５】
次にリボンカートリッジ１の供給側ボビン１０（本発明による熱転写シートまたは受像シート用ボビン）について、図１乃至図８により詳述する。供給側ボビン１０は、円筒状のボビン本体１１を備え、ボビン本体１１の一側端に複数の歯１３と、歯１３間に形成された歯溝１４とを有するギア１２が形成されている。このギア１２は、後述のように熱転写プリンタ５０の制動部３０に設けられた制動軸３１の制動ギア３２と嵌合するようになっている。
【００２６】
また、ボビン本体１１の他側端には、複数の嵌合溝１７が形成され、ボビン本体１０の他側にフランジ部１８を装着した際、フランジ部１８の嵌合突起１８ｅがボビン本体１０の嵌合溝１７に嵌合するようになっている。ここで、「ボビン本体の１１の一側端」とは、ボビン本体１１の軸方向の一側端部全体をいい、「ボビン本体の１１の他側端」とは、ボビン本体１１の軸方向の他側端部全体をいう。
【００２７】
ここで供給側ボビン１０について、図４（ａ）（ｂ）乃至図８により詳述する。上述のように供給側ボビン１０はボビン本体１１を備え、ボビン本体１１の一側端にギア１２が設けられている。ギア１２は複数の歯１３と、歯１３間に形成された歯溝１４とを有し、各歯１３はボビン本体１１の側方からみたとき、全体として５つの角１５ａ、１５ｂ，１５ｃ、１５ｄ、１５ｅをもつ５角形状を有している（図４（ａ）（ｂ）参照）。ここで、「側方からみたとき」とは、ボビン本体１１の軸方向に直交する側方から見たときの意味をもつ。
【００２８】
上述のように各歯１３は、５つの角１５ａ、１５ｂ、１５ｃ、１５ｄ、１５ｅをもつ５角形状を有し、各角１５ａ、１５ｂ、１５ｃ、１５ｄ、１５ｅ間に辺１３ａ、１３ｂ、１３ｃ、１３ｄ、１３ｅが形成されている。また、辺１３ａ、１３ｂ、１３ｃ、１３ｄ、１３ｅのうち一辺１３ｄに溝部１３ｆが形成されている。
【００２９】
なお各辺１３ａ、１３ｂ、１３ｃ、１３ｄ、１３ｅのうち、辺１３ｅはギア１２の外面を構成しない仮想上の辺である。また、各辺１３ａ、１３ｂ、１３ｃ、１３ｄ、１３ｅのうち、辺１３ｄはボビン本体１１の軸線方向に平行となっている。さらに辺１３ｃはボビン本体１１の軸線に対して傾斜している。
【００３０】
またギア１２と嵌合する制動ギア３２は、ギア１２の各歯１３を確実に受け入れることができるよう、各歯１３の５角形状に対応する形状の凹部をもつ。
【００３１】
また各歯１３の５つの角１５ａ、１５ｂ、１５ｃ、１５ｄ、１５ｅは面取りされた湾曲面を含む。さらに各歯１３の辺１３ａ、１３ｂ、１３ｃ、１３ｄ、１３ｅは、外側に向って凸となるように湾曲している。
【００３２】
このように各歯１３の５つの角１５ａ、１５ｂ、１５ｃ、１５ｄ、１５ｅが面取りされた湾曲面を有し、辺１３ａ、１３ｂ、１３ｃ、１３ｄが外側に向って凸となるよう湾曲しているため、歯１３は全体として湾曲面をもつことになる。このことによりボビン１０，２０を操作する操作者が供給側ボビン１０より傷付くことはない。
【００３３】
またギア１２の各歯１３は５つの角１５ａ、１５ｂ、１５ｃ、１５ｄ、１５ｅを持つ５角形状を有し、ギア１２が嵌合する制動ギア３２は各歯１３の５角形状に対応する形状の凹部をもつため、ギア１２の各歯１３と制動ギア３２の凹部とを堅固に嵌合することができる。また、図６に示すように、ギア１２の辺１３ｄと対応する制御ギア３２の辺の構成は維持しながら、後述のようにギア１２の歯数を制御ギア３２の凹部の歯数より、大きくしても良い。例えば、ギア１２の歯数を６，制動ギア３２の凹部の歯数を５とすることにより、駆動力を確実に伝達することができ、かつ装着作用を容易に実行することができる。
【００３４】
このように構成されたボビン本体１１は、熱転写プリンタ５０の制動軸３１に対して同一軸線上に配置され、この制動軸３１により制動ギア３２およびギア１２を介してボビン本体１１側を確実に制動することができる。
【００３５】
次にボビン本体１１に装着されるフランジ部１８について述べる。図７および図８に示すように、フランジ部１８はボビン本体１１の他側に装着されるものであり、第１フランジ１８ａと、第２フランジ１８ｂと、第１フランジ１８ａと第２フランジ１８ｂの間に形成されるとともに収納ケース２に嵌合する嵌合部１８ｃとを有している。また第１フランジ１８ａには、ボビン本体１１内に装着される円筒部１８ｄが連結される。
【００３６】
また、フランジ部１８の円筒部１８ｄには、第１フランジ１８ａに隣接して、ボビン本体１１の嵌合溝１７に嵌合する嵌合突起１８ｅが設けられている。
【００３７】
またフランジ部１８の円筒部１８ｄには、嵌合突起１８ｅより突出高さが低く、かつ軸線方向に延びる軸線方向リブ１８ｆが設けられ、このフランジ部１８の軸線方向リブ１８ｆは、ボビン本体１１内面に形成された軸線方向溝（図示せず）に嵌合するようになっている。
【００３８】
このように構成されたフランジ部１８は、ボビン本体１１と別体に構成され、ボビン本体１１に装着される。このようにして、供給側ボビン１０が構成される。
【００３９】
なお、フランジ部１８内には、供給すべきインクリボン３の種類を特定するためのＲＦＩＤが内蔵されている。
【００４０】
次にこのような構成からなる本実施の形態の作用について説明する。  
まずインクリボン３が巻付けられた供給側ボビン１０と、巻取側ボビン２０とを準備する。この場合、インクリボン３はタッチローラを用いて、供給側ボビン１０に押付けられて巻付けられる。
【００４１】
次に供給側ボビン１０と巻取側ボビン２０とを収納ケース２内に装着し、このようにして収納ケース２と、インクリボン３が巻付けられた供給側ボビン１０および巻取側ボビン２０とを有するリボンカートリッジ（ボビンとシートの組合体）１が得られる。
【００４２】
次にリボンカートリッジ１は熱転写プリンタ５０の装着部５０Ａに装着される。この場合、リボンカートリッジ１の巻取側ボビン２０は、熱転写プリンタ５０の制動部４０の駆動軸４１と同一軸線上に並び、供給側ボビン１０は熱転写プリンタ５０の制動軸３０の制動軸３１と同一軸線上に並ぶ。
【００４３】
次に駆動部４０が巻取側ボビン２０側へ押付けられて、駆動部４０の駆動ギア４０が、巻取側ボビン２０のギアフランジ２２（内周面に形成された歯２２ａ）に嵌合する。
【００４４】
同様に制動部３０が供給側ボビン１０側へ押付けられ、制動部３０の制動軸３１に形成された制動ギア３２が供給側ボビン１０のギア１２に嵌合する。
【００４５】
この場合、ギア１２の各歯１３は側方からみて５角形状を有しており、制動部３０を供給側ボビン１０へ押付けるだけで、制動部３０の制動ギア３２と供給側ボビン１０のギア１２とを容易かつ簡単に嵌合することができる。
【００４６】
次に巻取用ボビン２０が駆動部４０により駆動され、供給側ボビン１０が制動部３０に内蔵されたブレーキ（図示せず）により制動される。このようにして、供給側ボビン１０に巻付けられていたインクリボン３が供給される。次に供給側リボン１０と巻取側リボン２０との間に延びるインクリボン３がサーマルヘッド（図示せず）により加熱され、インクリボン３のインクが受像シート（図示せず）に転写され、このようにして熱転写作業が行なわれる。
【００４７】
以上のように本実施の形態によれば、供給側ボビン１０のボビン本体１１の一側端面に、複数の歯１３を含むギア１２が形成されているため、このギア１２に熱転写プリンタ５０側の駆動部３０の駆動ギア３２を直接嵌合させ、駆動部３０の駆動軸３１からの回転方向の駆動力をボビン本体１１に直接伝えることができる。
【００４８】
このため、ボビン本体１１に駆動軸３１と嵌合するフランジを別途設ける必要なく、部品点数を削減することができる。またボビン本体１１の外面に制動部３０の制動軸３１と嵌合する制動用凹凸を設ける必要がないので、ボビン本体１１の外面を平滑面とすることができ、供給側ボビン１０にインクリボン３を巻付けるために用いるゴム製のタッチローラに傷がつくことはない。
【００４９】
また、ギア１２の各歯１３は側方からみて全体として５角形状を有しているため、ギア１２に対して制動部３０を押付けるだけで容易かつ簡単にギア１２と制動部３０の制動ギア３２を嵌合させることができる。
【００５０】
＜変形例＞
次に本発明の変形例について、図９および図１０により説明する。  
図１乃至図８に示す実施の形態において、供給側ボビン１０のボビン本体１１の他側にフランジ部１８を装着した例を示したが、これに限らず図９に示すように、ボビン本体１１の他側に収納ケース２に嵌合して供給側ボビン１０の位置決めを行なう円周溝２８を設けてもよい。
【００５１】
図９に示すように、ボビン本体１１の一側には、図１乃至図８に示す実施の形態と同様、複数の歯１３と、歯１３間に形成された歯溝１４とを有するギア１２が形成されている。
【００５２】
図９に示すように、供給側ボビン１０はボビン本体１１のみからなり、フランジ部を有しないため、構成部品の点数を更に削除することができる。
【００５３】
また図１乃至図８に示す実施の形態において、供給側ボビン１０のボビン本体１１の他側にフランジ部１８を装着した例を示したが、これに限らず図１０に示すように、ボビン本体１１の他側に収納ケース２に嵌合して供給側ボビン１０の位置決めを行なう一対の円周突起２９を設けてもよい。
【００５４】
図１０に示すように、ボビン本体１１の一側には、図１乃至図８に示す実施の形態と同様、複数の歯１３と、歯１３間に形成された歯溝１４とを有するギア１２が形成されている。
【００５５】
図１０に示すように、供給側ボビン１０はボビン本体１１のみからなり、フランジ部を有しないため、構成部品の点数を更に削除することができる。
【００５６】
なお、上記実施の形態において、供給側ボビン１０と巻取側ボビン２０にインクリボン（熱転写シート）３を巻付けた例を示したが、供給側ボビン１０と巻取側ボビン２０に受像シートを巻付け、供給側ボビン１０と巻取側ボビン２０を受像シート用ボビンとして用いることもできる。
【００５７】
次に図１１により、ギア１２の各歯１３の変形例について説明する。  
上記実施の形態において、各歯１３が５角形状をもつとともに、各歯１３の辺１３ｄがボビン本体１１の軸線と平行となっており、かつ辺１３ｃがボビン本体１１の軸線に対して傾斜する例を示したが、図１１に示すように各歯１３が５角形状をもつとともに、各歯１３の辺１３ｃ及び１３ｄがいずれもボビン本体１１の軸線と平行していてもよい。また各歯１３は５つの角をもち、このうち角１５ａ、１５ｂ，１５ｃは面取りされた湾曲面をもつ。さらに辺１３ａ、１３ｂは外側に向って湾曲している。
【００５８】
図１１において、各歯１３の２つの辺１３ｄ、１３ｃがいずれもボビン本体１１の軸線と平行しているため、ギア１２と制動ギア３２とを堅固に接合させて、ギア１２と制動ギアとの間を確実に伝達することができる。 
あるいはまた、供給側ボビン１０のギア１２に５角形状の歯１３を設けた例を示したが、これに限らず巻取側ボビン２０側に５角形状の歯を設けてもよい。また、供給側ボビン１０側あるいは巻取側ボビン２０側、または熱転写プリンタ５０の制動ギア３０あるいは駆動ギア４０側のいずれかに５角形状の歯を設けてもよく、この場合、供給側ボビン１０あるいは巻取側ボビン２０の歯の角数は制動ギア３０あるいは駆動ギア４０の角数より大きくなっている。
【符号の説明】
【００５９】
１  リボンカートリッジ
２  収納ケース
３  インクリボン
１０  供給側ボビン
１１  ボビン本体
１２  ギア
１３  歯
１３ａ、１３ｂ、１３ｃ、１３ｄ、１３ｅ  辺
１３ｆ  溝部
１５ａ、１５ｂ、１５ｃ、１５ｄ、１５ｅ  角
１７  嵌合溝
２０  巻取側ボビン
２１  ボビン本体
２２  ギアフランジ
３０  制動部
３１  制動軸
３２  制動ギア
４０  駆動部
４１  駆動軸
４２  駆動ギア
５０  熱転写プリンタ
５０Ａ  装着部
【図１】
2017088386.tif 000003
【図２】
2017088386.tif 000004
【図３】
2017088386.tif 000005
【図４】
2017088386.tif 000006
【図５】
2017088386.tif 000007
【図６】
2017088386.tif 000008
【図７】
2017088386.tif 000009
【図８】
2017088386.tif 000010
【図９】
2017088386.tif 000011
【図１０】
2017088386.tif 000012
【図１１】
2017088386.tif 000013